(57)【要約】  ユーザ端末は、トラフィックの種類及びトラフィックの発生タイミングの少なくとも１つに基づいて、複数の設定グラント設定の少なくとも１つを決定する制御部と、前記決定された設定グラント設定を用いて送信を行う送信部と、を有する。本開示の一態様によれば、複数の設定グラントが設定される場合であっても、適切に動作できる。
2020065870.tif 000002
【特許請求の範囲】
【請求項１】
トラフィックの種類及びトラフィックの発生タイミングの少なくとも１つに基づいて、複数の設定グラント設定の少なくとも１つを決定する制御部と、
前記決定された設定グラント設定を用いて送信を行う送信部と、を有することを特徴とするユーザ端末。
【請求項２】
前記複数の設定グラント設定は、異なるタイプの設定グラント設定を含まないことを特徴とする請求項１に記載のユーザ端末。
【請求項３】
前記複数の設定グラント設定は、異なるタイプの設定グラント設定を含むことを特徴とする請求項１に記載のユーザ端末。
【請求項４】
前記複数の設定グラント設定のそれぞれは、タイプ２設定グラントを示し、
前記制御部は、１つの下り制御情報に基づいて、１つの設定グラント設定のアクティベーション又はディアクティベーションを認識することを特徴とする請求項１から請求項３のいずれかに記載のユーザ端末。
【請求項５】
前記複数の設定グラント設定のそれぞれは、タイプ２設定グラントを示し、
前記制御部は、１つの下り制御情報に基づいて、前記複数の設定グラント設定のアクティベーション又はディアクティベーションを認識することを特徴とする請求項１から請求項３のいずれかに記載のユーザ端末。
【請求項６】
トラフィックの種類及びトラフィックの発生タイミングの少なくとも１つに基づいて、複数の設定グラント設定の少なくとも１つを決定する工程と、
前記決定された設定グラント設定を用いて送信を行う工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ）では、動的グラント（dynamic  grant）を用いるスケジューリングと、設定グラント（configured  grant）を用いるスケジューリングと、が検討されている。ＵＥは、１つのセルにおいて複数の設定グラント（multi  configured  grant）が設定されることも検討されている。【０００６】
しかしながら、複数の設定グラントが設定される場合に、ＵＥがどの設定グラントを用いるかについては、まだ検討が進んでいない。適切な設定グラントを用いなければ、システム性能が低下するおそれがある。【０００７】
そこで、本開示は、複数の設定グラントが設定される場合であっても、適切に動作するユーザ端末を提供することを目的の１つとする。
【課題を解決するための手段】
【０００８】
本開示の一態様に係るユーザ端末は、トラフィックの種類及びトラフィックの発生タイミングの少なくとも１つに基づいて、複数の設定グラント設定の少なくとも１つを決定する制御部と、前記決定された設定グラント設定を用いて送信を行う送信部と、を有することを特徴とする。
【発明の効果】
【０００９】
本開示の一態様によれば、複数の設定グラントが設定される場合であっても、適切に動作できる。
【図面の簡単な説明】
【００１０】
【図１】図１は、独立の複数のＣＧ設定の一例を示す図である。
【図２】図２は、共通パラメータを有する複数のＣＧ設定の一例を示す図である。
【図３】図３Ａ及び図３Ｂは、複数のタイプ２ＣＧ設定の一例を示す図である。
【図４】図４Ａ及び図４Ｂは、ＣＧ設定に対するアクティベーション／ディアクティベーションＭＡＣ  ＣＥの一例を示す図である。
【図５】図５Ａ及び図５Ｂは、ＣＧ確認ＭＡＣ  ＣＥの一例を示す図である。
【図６】図６は、一実施形態に係る無線通信システムの概略構成の一例を示す図である。
【図７】図７は、一実施形態に係る基地局の構成の一例を示す図である。
【図８】図８は、一実施形態に係るユーザ端末の構成の一例を示す図である。
【図９】図９は、一実施形態に係る基地局及びユーザ端末のハードウェア構成の一例を示す図である。
【発明を実施するための形態】
【００１１】
＜動的グラントベース送信及び設定グラントベース送信（タイプ１、タイプ２）＞
ＮＲのＵＬ送信について、動的グラントベース送信（dynamic  grant-based  transmission）及び設定グラントベース送信（configured  grant-based  transmission）が検討されている。
【００１２】
動的グラントベース送信は、動的なＵＬグラント（dynamic  grant、dynamic  UL  grant）に基づいて、上り共有チャネル（例えば、ＰＵＳＣＨ（Physical  Uplink  Shared  Channel））を用いてＵＬ送信を行う方法である。
【００１３】
設定グラントベース送信は、上位レイヤによって設定されたＵＬグラント（例えば、設定グラント（configured  grant）、configured  UL  grantなどと呼ばれてもよい）に基づいて、上り共有チャネル（例えば、ＰＵＳＣＨ）を用いてＵＬ送信を行う方法である。設定グラントベース送信は、ＵＥに対して既にＵＬリソースが割り当てられており、ＵＥは設定されたリソースを用いて自発的にＵＬ送信できるため、低遅延通信の実現が期待できる。
【００１４】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１５】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１６】
また、設定グラントベース送信は、ＵＬ  セミパーシステントスケジューリング（ＳＰＳ：Semi-Persistent  Scheduling）の１種類として定義されてもよい。本開示において、「設定グラント」は、「ＳＰＳ」、「ＳＰＳ／設定グラント」などと互いに読み替えられてもよい。
【００１７】
設定グラントベース送信については、いくつかのタイプ（タイプ１、タイプ２など）が検討されている。
【００１８】
設定グラントタイプ１送信（configured  grant  type  1  transmission、タイプ１設定グラント）において、設定グラントベース送信に用いるパラメータ（設定グラントベース送信パラメータ、設定グラントパラメータなどと呼ばれてもよい）は、上位レイヤシグナリングのみを用いてＵＥに設定される。
【００１９】
設定グラントタイプ２送信（configured  grant  type  2  transmission、タイプ２設定グラント）において、設定グラントパラメータは、上位レイヤシグナリングによってＵＥに設定される。設定グラントタイプ２送信において、設定グラントパラメータの少なくとも一部は、物理レイヤシグナリング（例えば、後述のアクティベーション用下り制御情報（ＤＣＩ：Downlink  Control  Information））によってＵＥに通知されてもよい。
【００２０】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２１】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２２】
設定グラントパラメータは、ＲＲＣのConfiguredGrantConfig情報要素を用いてＵＥに設定されてもよい。設定グラントパラメータは、例えば設定グラントリソースを特定する情報を含んでもよい。設定グラントパラメータは、例えば、設定グラントのインデックス、時間オフセット、周期（periodicity）、トランスポートブロック（ＴＢ：Transport  Block）の繰り返し送信回数（繰り返し送信回数は、Ｋと表現されてもよい）、繰り返し送信で使用する冗長バージョン（ＲＶ：Redundancy  Version）系列、上述のタイマなどに関する情報を含んでもよい。
【００２３】
ここで、周期及び時間オフセットは、それぞれ、シンボル、スロット、サブフレーム、フレームなどの単位で表されてもよい。周期は、例えば、所定数のシンボルで示されてもよい。時間オフセットは、例えば所定のインデックス（スロット番号＝０及び／又はシステムフレーム番号＝０など）のタイミングに対するオフセットで示されてもよい。繰り返し送信回数は、任意の整数であってもよく、例えば、１、２、４、８などであってもよい。繰り返し送信回数がｎ（＞０）の場合、ＵＥは、所定のＴＢを、ｎ回の送信機会を用いて設定グラントベースＰＵＳＣＨ送信してもよい。
【００２４】
ＵＥは、設定グラントタイプ１送信を設定された場合、１つ又は複数の設定グラントがトリガされたと判断してもよい。ＵＥは、設定された設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信が設定されている場合であっても、送信バッファにデータがない場合は、ＵＥは設定グラントベース送信をスキップしてもよい。
【００２５】
ＵＥは、設定グラントタイプ２送信を設定され、かつ所定のアクティベーション信号が通知された場合、１つ又は複数の設定グラントがトリガ（又はアクティベート）されたと判断してもよい。当該所定のアクティベーション信号（例えば、アクティべーション用ＤＣＩ）は、所定の識別子（例えば、ＣＳ−ＲＮＴＩ：Configured  Scheduling  RNTI）でＣＲＣ（Cyclic  Redundancy  Check）スクランブルされるＤＣＩ（ＰＤＣＣＨ）であってもよい。なお、当該ＤＣＩは、設定グラントのディアクティベーション、再送などの制御に用いられてもよい。
【００２６】
ＵＥは、上位レイヤで設定された設定グラントリソースを用いてＰＵＳＣＨ送信を行うか否かを、上記所定のアクティベーション信号に基づいて判断してもよい。ＵＥは、設定グラントをディアクティベートするＤＣＩ又は所定のタイマの満了（所定時間の経過）に基づいて、当該設定グラントに対応するリソース（ＰＵＳＣＨ）を解放（リリース（release）、ディアクティベート（deactivate）などと呼ばれてもよい）してもよい。
【００２７】
ＵＥは、アクティベートされた設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信がアクティベート（アクティブ状態である）場合であっても、送信バッファにデータがない場合は、ＵＥは設定グラントベース送信をスキップしてもよい。
【００２８】
なお、動的グラント及び設定グラントのそれぞれは、実際のＵＬグラント（actual  UL  grant）と呼ばれてもよい。つまり、実際のＵＬグラントは、上位レイヤシグナリング（例えば、ＲＲＣのConfiguredGrantConfig情報要素）、物理レイヤシグナリング（例えば、上記所定のアクティベーション信号）又はこれらの組み合わせであってもよい。
【００２９】
ところで、ＵＥは、１つのセル又は１つのＢＷＰ（BandWidth  Part、部分帯域）において、複数の設定グラント（multi  configured  grant）が設定されてもよく、ある期間において、当該複数の設定グラントがトリガ（又はアクティベート）された状態であってもよい。
【００３０】
しかしながら、複数の設定グラントをどのように設定するのか、複数の設定グラントに対するアクティベーション／ディアクティベーションをどのように通知するのか、が明らかでない。
【００３１】
そこで、本発明者らは、複数の設定グラントが設定されている場合であっても、適切に動作する方法を着想した。
【００３２】
以下、本開示に係る実施形態について、図面を参照して詳細に説明する。各実施形態に係る無線通信方法は、それぞれ単独で適用されてもよいし、組み合わせて適用されてもよい。
【００３３】
以下、「設定グラント」は、「設定グラントの設定（configuration  of  configured  grants）」、「設定グラント設定」と互いに読み替えられてもよい。また、「設定グラントベース送信を行う設定グラントを決定する」ことは、単に「設定グラントを選択する」と呼ばれてもよい。また、「トラフィック」は、「データ」「ＵＬデータ」及び「トランスポートブロック」の少なくとも１つと互いに読み替えられてもよい。
【００３４】
以下、「キャリア」は、「セル」、「コンポーネントキャリア（ＣＣ）」と互いに読み替えられてもよい。
【００３５】
以下の実施形態は、ＵＬに適用される例について主に説明するが、ＤＬに適用されてもよい。例えば、タイプ２設定グラント（又はタイプ３設定グラント）の動作は、ＰＤＳＣＨ（ＳＰＳ  ＰＤＳＣＨ、下りリンクＳＰＳ）にも適用できる。「設定グラント設定（ConfiguredGrantConfig）」は、「ＳＰＳ設定（SPS-Config）」と読み替えられてもよい。「設定グラントＰＵＳＣＨの送信」は、「ＳＰＳ  ＰＤＳＣＨの受信」と読み替えられてもよい。
【００３６】
（無線通信方法）
（態様１）
ＵＥは、与えられたＢＷＰ又はキャリアに対し、１より多い設定グラント（ＣＧ）設定（configured  grant  configurations）を設定されてもよい。ＵＥは、上位レイヤシグナリング（例えば、ＲＲＣシグナリング）によってＣＧ設定を通知されてもよい。
【００３７】
ＵＥは、複数のＣＧ設定（タイプ１）を設定された場合、又は複数のＣＧ設定（タイプ２）をアクティベートされた場合、複数のＣＧ設定の１つを選択し、選択されたＣＧ設定を用いてＰＵＳＣＨを送信してもよい。
【００３８】
なお、ＵＥは、設定可能なＣＧ設定の数をあらかじめ端末能力情報として基地局に報告するものとしてもよい。ＵＥは、ＢＷＰ又はキャリアに対して設定されるＣＧ設定の数は、あらかじめ規定された値、もしくは端末能力情報として基地局に報告した値を上回らないと想定してもよい。
【００３９】
ＵＥは、次の態様１−１、１−２の１つに従って、動作してもよい。
【００４０】
＜態様１−１＞
ＵＥは、１つのＢＷＰ又は１つのキャリアに対し、タイプ１ＣＧ及びタイプ２ＣＧの一方について、１より多いＣＧ設定を設定（通知）されてもよい。ＵＥは、１つのＢＷＰ又は１つのキャリアに対し、タイプ１ＣＧ及びタイプ２ＣＧの両方（異なるタイプのＣＧ設定）を設定されないと期待してもよい。ＵＥは、１つのＢＷＰ又は１つのキャリアに対し、タイプ１ＣＧ及びタイプ２ＣＧの両方（異なるタイプのＣＧ設定）をアクティベートされないと期待してもよい。
【００４１】
ＵＥは、次の態様１−１−１、１−１−２の１つに従って動作してもよい。
【００４２】
《態様１−１−１》
与えられたＢＷＰ又はキャリアにおいて、複数のＣＧ設定内のパラメータ値が独立であってもよい。ＵＥは、与えられたＢＷＰ又はキャリアにおいて、複数のＣＧ設定のそれぞれに対する設定情報を独立に受信してもよい。
【００４３】
複数のＣＧ設定の間で、ＣＧ設定内のパラメータに対する制約がなくてもよい。すなわち、各ＣＧ設定に、繰り返し因子（repetition  factor）Ｋ、ＭＣＳ（Modulation  and  Coding  Scheme）テーブル、変換プリコーディング（ＤＦＴ（Discrete  Fourier  Transform）プリコーディング、ＤＦＴ−ｓ−ＯＦＤＭ（Discrete  Fourier  Transform−spread−OFDM））、リソース割り当て（周波数ドメインリソース割り当てのリソース割り当てタイプやリソースブロックグループ粒度及び実際のリソース割り当て、時間ドメインリソース割り当て）、などを設定するパラメータは、複数のＣＧ設定の間で異なってもよい。
【００４４】
異なる論理チャネルが異なるＣＧ設定にマップされてもよい。複数のＣＧ設定の間で論理チャネルのマッピングルール（優先順位）が異なってもよい。論理チャネルには、例えば、個別トラフィックチャネル（ＤＴＣＨ：Dedicated  Traffic  Channel）、個別制御チャネル（ＤＣＣＨ：Dedicated  Control  Channel）、共通制御チャネル（ＣＣＣＨ：Common  Control  Channel）、ページング制御チャネル（ＰＣＣＨ：Paging  Control  Channel）、ブロードキャスト制御チャネル（ＢＣＣＨ：Broadcast  Control  Channel）の少なくとも一つが含まれてもよい。複数のＣＧ設定において、信頼性、遅延などが異なる場合、ＵＥは、論理チャネルに適したＣＧ設定を用いることができる。
【００４５】
異なるＣＧ設定が、異なるトラフィックタイプに対応してもよい。トラフィックタイプは、通信要件（遅延、誤り率などの要件）、データ種別（音声、データなど）、送信に用いるパラメータ（ＭＣＳテーブル、ＲＮＴＩなど）の少なくとも１つであってもよい。トラフィックタイプは、Ｖ２Ｘ、ＵＲＬＬＣ、ｅＭＭＢ、ｖｏｉｃｅ（音声通信）、などであってもよい。異なるトラフィックタイプ間は、上位レイヤ等で識別されるものとしてもよい。これによって、ＵＥは、異なるトラフィックタイプの送信に異なるＣＧリソースを用いることができる。複数のＣＧ設定において、信頼性、遅延などが異なる場合、ＵＥは、トラフィックタイプに適したＣＧ設定を用いることができる。
【００４６】
図１の例では、ＵＥは、１つのＢＷＰ又はキャリアにおいてＣＧ設定＃１〜＃３を設定される。ＣＧ設定＃１ででは、長さが７シンボルであり、繰り返し因子Ｋが４（繰り返し＃１〜繰り返し＃４の送信）である。ＣＧ設定＃２では、長さが４シンボルであり、繰り返し因子Ｋが１（繰り返し＃１の送信）であり、周期が１４シンボルである。ＣＧ設定＃３では、長さが２シンボルであり、繰り返し因子Ｋが１（繰り返し＃１の送信）であり、周期が２シンボルである。
【００４７】
ＣＧ設定＃１は、音声など、高信頼性を要求されるが低遅延を要求されないトラフィックタイプに用いられてもよい。ＣＧ設定＃３は、低遅延を要求されるが高信頼性を要求されないトラフィックタイプに用いられてもよい。ＣＧ設定＃２は、信頼性も遅延も、極端に高い値が要求されないトラフィックタイプに用いられてもよい。
【００４８】
この態様１−１−１によれば、複数のＣＧ設定を柔軟に設定できる。
【００４９】
《態様１−１−２》
与えられたＢＷＰ又はキャリアにおいて、複数のＣＧ設定内の少なくとも１つのパラメータ値が共通であってもよい。ＵＥは、与えられたＢＷＰ又はキャリアにおいて、複数のＣＧの共通（common）パラメータ（共通ＣＧ設定）と、各ＣＧの個別（dedicated）パラメータ（個別ＣＧ設定）と、を設定されてもよい。ＵＥは、共通パラメータを上位レイヤシグナリング（例えば、ＲＲＣシグナリング）によって通知されてもよい。ＵＥは、個別パラメータを上位レイヤシグナリング（例えば、ＲＲＣシグナリング）によって通知されてもよいし、ＤＣＩ又はＭＡＣ  ＣＥによって通知されてもよい。
【００５０】
共通パラメータは、繰り返し因子Ｋ、ＭＣＳテーブル、変換プリコーディング、リソース割り当て（周波数ドメインリソース割り当てのリソース割り当てタイプやリソースブロックグループ粒度及び実際のリソース割り当て、時間ドメインリソース割り当て）、などであってもよい。
【００５１】
複数のＣＧ設定の間で、論理チャネルのマッピングルールが共通であってもよい。
【００５２】
ＵＥは、複数のＣＧ設定によって、幾つかの開始位置を有する繰り返しを設定されてもよい。すなわち、ＵＥは、共通パラメータと、異なるオフセット（時間オフセット、送信開始タイミング、送信オケージョン（機会））と、を少なくとも有する複数のＣＧ設定を設定されてもよい。
【００５３】
図２の例では、ＵＥは、１つのＢＷＰ又はキャリアにおいてＣＧ設定＃１、＃２を設定される。ＣＧ設定＃１及び＃２の共通パラメータにおいて、長さが７シンボルであり、繰り返し因子Ｋが４（繰り返し＃１〜繰り返し＃４の送信）である。ＣＧ設定＃１及び＃２の共通パラメータに、同じ時間ドメインリソース割り当てが含まれてもよい。当該時間ドメインリソース割り当ては、スロット内でＰＵＳＣＨの開始シンボル及びＰＵＳＣＨがマッピングされるシンボル数の少なくともいずれかを与えるパラメータを含んでいてもよい。ＣＧ設定＃１の個別パラメータにおいて、オフセットが７シンボルである。ＣＧ設定＃２の個別パラメータにおいて、オフセットが１４シンボルである。ＣＧ設定＃１、＃２がタイプ２ＣＧである場合、ＵＥは、ＣＧ設定＃１、＃２をアクティベートされる。
【００５４】
ＵＬデータ（トラフィック）が発生すると、ＵＥは、複数のＣＧ設定のうち、最も早く送信できるＣＧ設定を用いてＵＬデータを送信してもよい。図２の例において、スロット＃０のシンボル＃０〜＃７の期間内にＵＬデータが発生した場合（もしくはデータの送信が準備できた場合）、ＵＥは、ＣＧ設定＃１を用いてＵＬデータを送信する。スロット＃０のシンボル＃８〜＃１４の期間内にＵＬデータが発生した場合（もしくはデータの送信が準備できた場合）、ＵＥは、ＣＧ設定＃２を用いてＵＬデータを送信する。
【００５５】
このように、ＵＥが、送信開始タイミングが異なる複数のＣＧ設定を設定され、ＵＬデータの発生タイミングに応じたＣＧ設定を使用する（選択する）ことによって、ＵＬデータの発生からＵＬデータの送信までの遅延を抑えることができる。１つのＣＧ設定では、繰り返しによって信頼性を高めることができても、ＣＧ送信の周期を繰り返しの時間長よりも短くすることができない。一方、図２の例によれば、繰り返しによって信頼性を高めつつ、ＣＧ送信の周期を繰り返しの時間長よりも短くすることと同等の遅延に抑えることができる。
【００５６】
この態様１−１−２によれば、複数のＣＧ設定の一部を共通に設定されることによって、シグナリングのオーバヘッドを削減できる。
【００５７】
この態様１−１によれば、ＵＥは、タイプ１ＣＧ及びタイプ２ＣＧの一方である複数のＣＧ設定を設定される場合であっても、適切にＰＵＳＣＨを送信できる。
【００５８】
＜態様１−２＞
ＵＥは、１つのＢＷＰ又は１つのキャリアに対し、タイプ１ＣＧ及びタイプ２ＣＧにわたる１より多いＣＧ設定を設定（通知）されてもよい。ＵＥは、１つのＢＷＰ又は１つのキャリアに対し、タイプ１ＣＧ及びタイプ２ＣＧの両方を設定されてもよい。ＵＥは、１つのＢＷＰ又は１つのキャリアに対し、タイプ１ＣＧ及びタイプ２ＣＧの両方をアクティベートされてもよい。
【００５９】
ＵＥは、次の態様１−２−１、１−２−２の１つに従って動作してもよい。
【００６０】
《態様１−２−１》
態様１−１−１と同様、与えられたＢＷＰ又はキャリアにおいて、複数のＣＧ設定内のパラメータが独立であってもよい。ＵＥは、与えられたＢＷＰ又はキャリアにおいて、複数のＣＧ設定を独立に設定されてもよい。
【００６１】
この態様１−２−１によれば、複数のＣＧ設定を柔軟に設定できる。
【００６２】
《態様１−２−２》
態様１−１−２と同様、与えられたＢＷＰ又はキャリアにおいて、複数のＣＧ設定内の少なくとも１つのパラメータが共通であってもよい。ＵＥは、与えられたＢＷＰ又はキャリアにおいて、複数のＣＧの共通パラメータと、各ＣＧの個別パラメータと、を設定されてもよい。
【００６３】
この態様１−２−２によれば、複数のＣＧ設定の一部を共通に設定されることによって、シグナリングのオーバヘッドを削減できる。
【００６４】
この態様１−２によれば、ＵＥは、タイプ１ＣＧ及びタイプ２ＣＧを含む複数のＣＧ設定を設定される場合であっても、適切にＰＵＳＣＨを送信できる。
【００６５】
（態様２）
与えられたＢＷＰ又はキャリアに対し、特定ＲＮＴＩ（Radio  Network  Temporary  Identifier）によってスクランブルされたＣＲＣを有するＤＣＩが、１より多いタイプ２ＣＧ設定をアクティベート又はディアクティベートしてもよい。ＵＥは、与えられたＢＷＰ又はキャリアに対し、特定ＲＮＴＩによってスクランブルされたＣＲＣを有するＤＣＩであって、１以上のタイプ２ＣＧ設定をアクティベート又はディアクティベートするＤＣＩを受信してもよい。特定ＲＮＴＩは、ＣＳ（Configured  Scheduling）−ＲＮＴＩであってもよい。
【００６６】
ＵＥは、次の態様２−１、２−２の１つに従って、タイプ２ＣＧ設定をアクティベートするＤＣＩを受信してもよい。
【００６７】
＜態様２−１＞
各ＤＣＩ（アクティベーションＤＣＩ）は、１つのタイプ２ＣＧ設定をアクティベートしてもよい。ＵＥは、１つのタイプ２ＣＧ設定をアクティベートするＤＣＩを受信してもよい。
【００６８】
ＵＥは、どのタイプ２ＣＧ設定がアクティベートされるかを明示的に（explicitly）通知されてもよい。アクティベーションＤＣＩ内の特定ＤＣＩフィールドが、どのタイプ２ＣＧ設定がアクティベートされるかを明示的に指示してもよい。特定ＤＣＩフィールドは、既存のＤＣＩフィールドであってもよいし、新規のＤＣＩフィールドであってもよい。ＵＥは、既存のＤＣＩフィールドを再解釈してもよい。例えば、特定ＤＣＩフィールドは、ＨＰＮ（HARQ  Process  Number）フィールドの下位（または上位）ｘビットであってもよいし、ＲＶ（Redundancy  Version）フィールドの下位（または上位）ｘビットであってもよい。ｘは１又は２であってもよいし、３以上であってもよい。
【００６９】
ＵＥは、どのタイプ２ＣＧ設定がアクティベートされるかを暗示的に（implicitly）通知されてもよい。複数のタイプ２ＣＧ設定（設定ＩＤ）のそれぞれが、ＲＮＴＩ（特定ＲＮＴＩ）に関連付けられてもよい。ＵＥは、アクティベーションＤＣＩのＣＲＣをスクランブルするＲＮＴＩに対応するタイプ２ＣＧがアクティベートされると認識してもよい。複数のタイプ２ＣＧ設定（設定ＩＤ）のそれぞれが、サーチスペース設定に関連付けられてもよい。ＵＥは、アクティベーションＤＣＩが検出されたサーチスペース設定に対応するタイプ２ＣＧ設定がアクティベートされると認識してもよい。
【００７０】
ＵＥ及びＮＷ（ネットワーク、例えば、基地局）は、次のオプション１、１ａ、２の１つに従ってもよい。
【００７１】
＜＜オプション１＞＞
ＵＥは、サービングセルの１つのＢＷＰに対し、異なるタイプ２設定に対する複数のアクティベーションＤＣＩを受信してもよい。
【００７２】
＜＜オプション１ａ＞＞
ＵＥは、制約の下で、サービングセルの１つのＢＷＰに対し、異なるタイプ２設定に対する複数のアクティベーションＤＣＩを受信してもよい。制約は、複数のタイプ２ＣＧ設定が異なる送信開始タイミングを有することと、複数のタイプ２ＣＧ設定のトランスポートブロックサイズ（ＴＢＳ）が所定の閾値を超えないことと、の少なくとも１つであってもよい。
【００７３】
＜＜オプション２＞＞
ＵＥは、サービングセルの１つのＢＷＰに対し、異なるタイプ２設定に対する複数のアクティベーションＤＣＩを受信しないと期待してもよい。
【００７４】
この態様２−１によれば、１つのＤＣＩが複数のタイプ２ＣＧ設定の１つをアクティベートすることから、態様２−１は、前述の態様１−１−１又は態様１−２−１（ＵＥがＣＳ設定毎に独立のパラメータを設定される）と組み合わせられることが好ましい。この組み合わせによれば、複数のタイプ２ＣＧ設定を柔軟に設定できる。
【００７５】
＜態様２−２＞
各ＤＣＩ（アクティベーションＤＣＩ）は、タイプ２ＣＧ設定の１つのセットをアクティベートしてもよい。１つのＤＣＩは、タイプ２ＣＧ設定の１つのセットをアクティベートしてもよい。ＵＥは、タイプ２ＣＧ設定の１つのセットをアクティベートするＤＣＩを受信してもよい。
【００７６】
１つのセット内の複数のタイプ２ＣＧ設定は、共通パラメータを有してもよい。
【００７７】
タイプ２ＣＧ設定のセットに対し、アクティベーションＤＣＩから送信開始タイミングまでのオフセットは、タイプ２ＣＧ設定にわたって同じであってもよいし、異なってもよい。アクティベーションＤＣＩ内の１つの特定フィールドは、複数のタイプ２ＣＧに対する同じ１つのオフセット又は異なる複数のオフセットを示してもよい。
【００７８】
特定フィールドは、セット内の１番目のタイプ２ＣＧ設定に対するオフセットを示してもよい。ｎ＞１に対し、ｎ番目のタイプ２ＣＧ設定に対するオフセットは、ｎ−１番目のタイプ２ＣＧ設定と比較して固定のギャップ（差分）を有していてもよい。ギャップは、ＲＲＣシグナリングによって設定されてもよいし、タイプ２ＣＧ設定の時間リソース割り当て情報やスロット長、繰り返し因子などの情報をもとに導かれるものであってもよい。たとえばｍがｋ以下であり、ｋが繰り返し番号であるとき、１個又はｍ個の送信オケージョンとして長さが規定されてもよい。
【００７９】
アクティベーションＤＣＩ内の複数のフィールドが、複数のタイプ２ＣＧ設定に対する各オフセットを指示してもよい。
【００８０】
図３Ａのように、ＵＥは、複数のタイプ２ＣＧ設定をアクティベートする１つのアクティベーションＤＣＩを受信してもよい。ＵＥは、当該アクティベーションＤＣＩによって、複数のタイプ２ＣＧ設定＃１〜＃３に対して異なるオフセット＃１〜＃３を設定されてもよい。
【００８１】
複数のタイプ２ＣＧがアクティベートされた後、ＵＥは、ＵＬデータ（トラフィック）の発生や準備に応じて、複数のタイプ２ＣＧ設定のうち、最も早くＵＬデータを送信できるＣＧ設定を用いて、ＵＬデータを送信してもよい。図３の例において、ＣＧ設定＃１のリソースより前の期間（オフセット＃１の期間）内にＵＬデータが発生した場合（もしくはデータの送信が準備できた場合）、ＵＥは、ＣＧ設定＃１を用いてＵＬデータを送信する。ＣＧ設定＃１のリソースの開始後でＣＧ設定＃２のリソースより前の期間（オフセット＃１より後のオフセット＃２の期間）内にＵＬデータが発生した場合（もしくはデータの送信が準備できた場合）、ＵＥは、ＣＧ設定＃１を用いてＵＬデータを送信する。ＣＧ設定＃２のリソースの開始後でＣＧ設定＃３のリソースより前の期間（オフセット＃２より後のオフセット＃３の期間）内にＵＬデータが発生した場合（もしくはデータの送信が準備できた場合）、ＵＥは、ＣＧ設定＃２を用いてＵＬデータを送信する。
【００８２】
このように、ＵＥが、送信開始タイミングが異なる複数のＣＧ設定を設定され、ＵＬデータの発生タイミングに応じたＣＧ設定を使用する（選択する）ことによって、ＵＬデータの発生からＵＬデータの送信までの遅延を抑えることができる。よって、トラフィックの発生タイミングに関わらず、遅延を小さくできる。
【００８３】
１つのＣＧ設定では、繰り返しによって信頼性を高めることができても、ＣＧ送信の周期を繰り返しの時間長よりも短くすることができない。一方、図３Ａの例によれば、繰り返しによって信頼性を高めつつ、ＣＧ送信の周期を繰り返しの時間長よりも短くすることと同等の遅延に抑えることができる。
【００８４】
図３Ｂのように、ＵＥは、複数のタイプ２ＣＧ設定＃１〜＃３をアクティベートする１つのアクティベーションＤＣＩを受信してもよい。ＵＥは、共通パラメータ、又は当該アクティベーションＤＣＩによって、複数のタイプ２ＣＧ設定に対して同じオフセットを設定されてもよい。ＵＥは、個別パラメータによって、複数のタイプ２ＣＧ設定に対して異なる周波数ドメインリソース割り当てを設定されてもよい。
【００８５】
複数のタイプ２ＣＧ設定は、同じ時間ドメイン割り当てと、異なる周波数ドメイン割り当てを有してもよい。ＵＥは、アクティブなＣＧ設定の中から１つのＣＧ設定を選択してもよい。アクティベートされた複数のＣＧ設定の一部がキャンセルされた場合、ＵＥは、キャンセルされていないＣＧ設定の中から１つのＣＧ設定を選択してもよい。ＵＥは、複数のＣＧ設定の中から、ＣＧ設定のＩＤ又は周波数の最小値又は最大値に対応するＣＧ設定を選択してもよい。ＵＥが、複数のＣＧ設定の１つを用いることによって、他の通信との衝突などによって、全てのリソースを使えなくなる確率を低減することができる。
【００８６】
ＵＥ及びＮＷは、次のオプション１、１ａ、２の１つに従ってもよい。
【００８７】
＜＜オプション１＞＞
ＵＥは、サービングセルの１つのＢＷＰに対し、タイプ２設定の異なるセットに対する複数のアクティベーションＤＣＩを受信してもよい。
【００８８】
＜＜オプション１ａ＞＞
ＵＥは、制約の下で、サービングセルの１つのＢＷＰに対し、タイプ２設定の異なるセットに対する複数のアクティベーションＤＣＩを受信してもよい。制約は、タイプ２設定の異なるセットが異なる送信開始タイミングを有することと、タイプ２設定の異なるセットのトランスポートブロックサイズ（ＴＢＳ）が所定の閾値を超えないことと、の少なくとも１つであってもよい。
【００８９】
＜＜オプション２＞＞
ＵＥは、サービングセルの１つのＢＷＰに対し、タイプ２設定の異なるセットに対する複数のアクティベーションＤＣＩを受信しないと期待してもよい。
【００９０】
この態様２−２によれば、１つのＤＣＩがタイプ２ＣＧ設定のセットをアクティベートすることから、態様２−２は、前述の態様１−１−２又は態様１−２−２（ＵＥが複数のＣＳ設定の間で共通のパラメータを設定される）と組み合わせられることが好ましい。この組み合わせによれば、シグナリングのオーバヘッドを削減できる。
【００９１】
ＵＥは、次の態様２−３、２−４の１つに従って、タイプ２ＣＧ設定をディアクティベートするＤＣＩを受信してもよい。
【００９２】
＜態様２−３＞
各ＤＣＩ（ディアクティベーションＤＣＩ）は、１つのタイプ２ＣＧ設定をディアクティベートしてもよい。ＵＥは、１つのタイプ２ＣＧ設定をディアクティベートするＤＣＩを受信してもよい。
【００９３】
ＵＥは、どのタイプ２ＣＧ設定がディアクティベートされるかを明示的に通知されてもよい。ディアクティベーションＤＣＩ内の特定ＤＣＩフィールドが、どのタイプ２ＣＧ設定がディアクティベートされるかを明示的に指示してもよい。特定ＤＣＩフィールドは、既存のＤＣＩフィールドであってもよいし、新規のＤＣＩフィールドであってもよい。ＵＥは、既存のＤＣＩフィールドを再解釈してもよい。例えば、特定ＤＣＩフィールドは、ＨＰＮフィールドの下位（または上位）ｘビットであってもよいし、ＲＶフィールドの下位（または上位）ｘビットであってもよい。ｘは１又は２であってもよいし、３以上であってもよい。
【００９４】
ＵＥは、どのタイプ２ＣＧ設定がディアクティベートされるかを暗示的に通知されてもよい。複数のタイプ２ＣＧ設定（設定ＩＤ）のそれぞれが、ＲＮＴＩ（特定ＲＮＴＩ）に関連付けられてもよい。ＵＥは、ディアクティベーションＤＣＩのＣＲＣをスクランブルするＲＮＴＩに対応するタイプ２ＣＧがディアクティベートされると認識してもよい。複数のタイプ２ＣＧ設定（設定ＩＤ）のそれぞれが、サーチスペース設定に関連付けられてもよい。ＵＥは、ディアクティベーションＤＣＩが検出されたサーチスペース設定に対応するタイプ２ＣＧ設定がディアクティベートされると認識してもよい。
【００９５】
この態様２−３によれば、１つのＤＣＩが複数のタイプ２ＣＧ設定の１つをディアクティベートすることから、態様２−３は、前述の態様１−１−１又は態様１−２−１と、態様２−１と、の少なくとも１つと組み合わせられることが好ましい。この組み合わせによれば、複数のタイプ２ＣＧ設定を柔軟に設定できる。
【００９６】
＜態様２−４＞
各ＤＣＩ（アクティベーションＤＣＩ）は、タイプ２ＣＧ設定の１つのセットをディアクティベートしてもよい。１つのＤＣＩは、タイプ２ＣＧ設定の１つのセットをディアクティベートしてもよい。ＵＥは、タイプ２ＣＧ設定の１つのセットをディアクティベートするＤＣＩを受信してもよい。
【００９７】
この態様２−４によれば、１つのＤＣＩがタイプ２ＣＧ設定のセットをディアクティベートすることから、態様２−４は、前述の態様１−１−２又は態様１−２−２と、態様２−２と、の少なくとも１つと組み合わせられることが好ましい。この組み合わせによれば、シグナリングのオーバヘッドを削減できる。
【００９８】
＜態様２−５＞
ＵＥは、複数のタイプ２ＣＧ設定に対するアクティベーション又はディアクティベーションを、ＭＡＣ  ＣＥによって指示されてもよい。ＵＥは、ＬＣＩＤ（Logical  Channel  Identifier）を有するＭＡＣ  ＰＤＵ（Protocol  Data  Unit）サブヘッダによって、当該ＭＡＣ  ＣＥを識別してもよい。
【００９９】
タイプ２ＣＧ設定のアクティベーション又はディアクティベーション用のＭＡＣ  ＣＥは、アクティベート又はディアクティベートされるタイプ２ＣＧ設定のインデックス、ＢＷＰ  ＩＤ、サービングセルＩＤなどを含んでもよい。
【０１００】
図４Ａの例において、タイプ２ＣＧ設定に対するアクティベーション／ディアクティベーションＭＡＣ  ＣＥは、このＭＡＣ  ＣＥがアクティベーション及びディアクティベーションのいずれを指示するかを示す情報（Ａ／Ｄ）、サービングセルＩＤ、ＢＷＰ  ＩＤ、ＣＧ０〜ＣＧ７のうち、アクティベーション又はディアクティベーションの対象のＣＧ設定を示す情報、を含む。このＭＡＣ  ＣＥを受信したＵＥは、ＣＧ０〜ＣＧ７の８ビットのうち、１にセットされたビットに対応するＣＧ設定が、アクティベート又はディアクティベートされると認識してもよい。
【０１０１】
図４Ｂの例において、タイプ２ＣＧ設定に対するアクティベーション／ディアクティベーションＭＡＣ  ＣＥは、このＭＡＣ  ＣＥがアクティベーション及びディアクティベーションのいずれを指示するかを示す情報（Ａ／Ｄ）、サービングセルＩＤ、ＢＷＰ  ＩＤ、リザーブドビット（Ｒ）、対象のタイプ２ＣＧ設定のセットを示す情報（タイプ２ＣＧセットＩＤ）、を含む。このＭＡＣ  ＣＥを受信したＵＥは、タイプ２ＣＧセットＩＤに対応するセットに含まれるＣＧ設定が、アクティベーション又はディアクティベーションされると認識してもよい。
【０１０２】
なお、各フィールドの順序及びサイズは、この図の例に限られない。このＭＡＣ  ＣＥは、Ａ／Ｄのフィールドを含まなくてもよい。この場合、ＵＥは、ＣＧ０〜ＣＧ７の中のビット「１」又はタイプ２ＣＧセットＩＤに示されたＣＧ設定がアクティベートされると認識してもよいし、ＣＧ０〜ＣＧ７のオール「０」又はタイプ２ＣＧセットＩＤが無効値（設定されたタイプ２ＣＧセットＩＤと異なる値）である場合に、アクティブなＣＧ設定がディアクティベートされると認識してもよい。
【０１０３】
ＭＡＣ  ＣＥによるアクティベーションの後、ＵＥは、アクティベートされたタイプ２ＣＧ設定に基づくリソース上でＰＵＳＣＨを送信してもよい。
【０１０４】
ＤＣＩによってアクティベート又はディアクティベートされるタイプ２ＣＧ設定と区別するために、ＭＡＣ  ＣＥによってアクティベート又はディアクティベートされるＣＧ設定が、タイプ３ＣＧ設定と呼ばれてもよい。
【０１０５】
ＵＥは、アクティベーション／ディアクティベーションＭＡＣ  ＣＥの送達確認（ＡＣＫ）として、ＨＡＲＱ−ＡＣＫを用いてもよい。
【０１０６】
Ｒｅｌ．１５においては、ＵＥは、タイプ２ＣＧのアクティベーション又はディアクティベーションのＤＣＩに対する送達確認として、ＣＧ確認ＭＡＣ  ＣＥを送信してもよい。ＮＷは、複数のＣＣにわたる複数のタイプ２ＣＧをアクティベート又はディアクティベートする場合、受信したＣＧ確認（confirmation）ＭＡＣ  ＣＥがどのＣＧに対応するかについて混乱がないことを確かめることを必要とする。ＣＧ確認ＭＡＣ  ＣＥは、ＬＣＩＤを有するＭＡＣ  ＰＤＵによって識別される。ＣＧ確認ＭＡＣ  ＣＥは、固定サイズのゼロビットを有する。
【０１０７】
ＵＥは、１つのタイプ２ＣＧ設定に対して１つの確認（confirmation）ＭＡＣ  ＣＥを送信してもよい。
【０１０８】
ＵＥは、新ＬＣＩＤを有するＣＧ確認ＭＡＣ  ＣＥを用いてもよい。当該ＣＧ確認ＭＡＣ  ＣＥは、サービングセルＩＤ、ＢＷＰ  ＩＤ、ＣＧ  ＩＤを有してもよい。１つのＣＧ確認ＭＡＣ  ＣＥは、１つのＣＧ設定を確認してもよい。１つのＣＧ確認ＭＡＣ  ＣＥは、複数のＣＧ設定を確認してもよい。
【０１０９】
図５Ａの例において、ＣＧ確認ＭＡＣ  ＣＥは、サービングセルＩＤ、ＢＷＰ  ＩＤ、ＣＧ０〜ＣＧ７のうち対象のＣＧ設定を示す情報、を含む。ＵＥは、ＣＧ０〜ＣＧ７のうち、受信したアクティベーション／ディアクティベーションＭＡＣ  ＣＥの対象であるＣＧ設定のビットを１にセットすることによって、当該ＣＧ設定の送達確認（ＡＣＫ）を送信してもよい。
【０１１０】
図５Ｂの例において、ＣＧ確認ＭＡＣ  ＣＥは、サービングセルＩＤ、ＢＷＰ  ＩＤ、対象のＣＧ設定を示す情報（ＣＧ  ＩＤ）、を含む。ＵＥは、受信したアクティベーション／ディアクティベーションＭＡＣ  ＣＥの対象のＣＧ  ＩＤを送信することによって、当該ＣＧ設定の送達確認（ＡＣＫ）を送信してもよい。
【０１１１】
なお、各フィールドの順序及びサイズは、この図の例に限られない。
【０１１２】
この態様２−５によれば、タイプ２ＣＧ設定（タイプ３ＣＧ設定）をＭＡＣ  ＣＥによってアクティベート／ディアクティベートすることによって、ＵＥ及びＮＷは、対象のＣＧ設定を特定できる。また、ＵＥが、アクティベーション／ディアクティベーションＭＡＣ  ＣＥに対する送達確認を送信することによって、ＮＷ及びＵＥは、タイプ２ＣＧ設定のアクティベーション／ディアクティベーションの認識を合わせることができ、タイプ２ＣＧ設定に基づいて適切に送受信を行うことができる。
【０１１３】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１１４】
図６は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１１５】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０１１６】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１１７】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１１８】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１１９】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（ＣＡ：Carrier  Aggregation）及びデュアルコネクティビティ（ＤＣ）の少なくとも一方を利用してもよい。
【０１２０】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１２１】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１２２】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１２３】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１２４】
ユーザ端末２０は、ＬＴＥ、ＬＴＥ−Ａ、５Ｇなどの通信方式の少なくとも１つに対応した端末であってもよい。
【０１２５】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１２６】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１２７】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１２８】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１２９】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１３０】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１３１】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１３２】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１３３】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１３４】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１３５】
なお、本開示において下りリンク、上りリンクなどは「リンク」を付けずに表現されてもよい。また、各種チャネルの先頭に「物理（Physical）」を付けずに表現されてもよい。
【０１３６】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１３７】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１３８】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１３９】
（基地局）
図７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１４０】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１４１】
制御部１１０は、基地局１０全体の制御を実施する。制御部１１０は、本開示に係る技術分野での共通認識に基づいて説明されるコントローラ、制御回路などから構成することができる。
【０１４２】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１４３】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１４４】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１４５】
送受信アンテナ１３０は、本開示に係る技術分野での共通認識に基づいて説明されるアンテナ、例えばアレイアンテナなどから構成することができる。
【０１４６】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１４７】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１４８】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１４９】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１５０】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１５１】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１５２】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５３】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１５４】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１５５】
なお、本開示における基地局１０の送信部及び受信部は、送受信部１２０、送受信アンテナ１３０及び伝送路インターフェース１４０の少なくとも１つによって構成されてもよい。
【０１５６】
なお、送受信部１２０は、上位レイヤシグナリングによって、複数の設定グラント設定をユーザ端末２０へ送信してもよい。また、送受信部１２０は、設定グラント設定のアクティベーション又はディアクティベーションのための下り制御情報又はＭＡＣ  ＣＥを送信してもよい。
【０１５７】
（ユーザ端末）
図８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１５８】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１５９】
制御部２１０は、ユーザ端末２０全体の制御を実施する。制御部２１０は、本開示に係る技術分野での共通認識に基づいて説明されるコントローラ、制御回路などから構成することができる。
【０１６０】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１６１】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１６２】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１６３】
送受信アンテナ２３０は、本開示に係る技術分野での共通認識に基づいて説明されるアンテナ、例えばアレイアンテナなどから構成することができる。
【０１６４】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１６５】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１６６】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１６７】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１６８】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１６９】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１７０】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１７１】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７２】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１７３】
なお、本開示におけるユーザ端末２０の送信部及び受信部は、送受信部２２０、送受信アンテナ２３０及び伝送路インターフェース２４０の少なくとも１つによって構成されてもよい。
【０１７４】
また、制御部２１０は、トラフィックの種類（トラフィックタイプ、論理チャネルなど）及びトラフィックの発生タイミングの少なくとも１つに基づいて、複数の設定グラント設定の少なくとも１つを決定してもよい。送受信部２２０は、前記決定された設定グラント設定を用いて送信を行ってもよい。
【０１７５】
また、前記複数の設定グラント設定は、異なるタイプ（例えば、タイプ１ＣＧ、タイプ２ＣＧ、タイプ３ＣＧなど）の設定グラント設定を含まなくてもよい（態様１−１）。
【０１７６】
また、前記複数の設定グラント設定は、異なるタイプの設定グラント設定を含んでもよい（態様１−２）。
【０１７７】
また、前記複数の設定グラント設定のそれぞれは、タイプ２設定グラントを示し、制御部２１０は、１つの下り制御情報（ＤＣＩ）に基づいて、１つの設定グラント設定のアクティベーション又はディアクティベーションを認識してもよい（態様２−１、２−３）。
【０１７８】
また、前記複数の設定グラント設定のそれぞれは、タイプ２設定グラントを示し、制御部２１０は、１つの下り制御情報に基づいて、前記複数の設定グラント設定のアクティベーション又はディアクティベーションを認識してもよい（態様２−２、２−４）。
【０１７９】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１８０】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１８１】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８２】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１８３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１８４】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１８５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１８６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１８７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１９０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１９１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９２】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９３】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９４】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１９５】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１９６】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１９７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１９９】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２００】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２０２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２０３】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２０４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２０５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２０６】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２０７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０９】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２１０】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２１１】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２１２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１３】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１４】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１６】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２１７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１８】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２０】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２２４】
本開示において使用する「システム」及び「ネットワーク」という用語は、互換的に使用され得る。「ネットワーク」は、ネットワークに含まれる装置（例えば、基地局）のことを意味してもよい。
【０２２５】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２２６】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２２７】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２２８】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２２９】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３０】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２３１】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２３２】
同様に、本開示におけるユーザ端末は、基地局で読み替えてもよい。この場合、上述のユーザ端末２０が有する機能を基地局１０が有する構成としてもよい。
【０２３３】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３４】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２３５】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２３６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２３８】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２３９】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２４０】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４１】
また、「判断（決定）」は、「想定する（assuming）」、「期待する（expecting）」、「みなす（considering）」などで読み替えられてもよい。
【０２４２】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２４３】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２４４】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２４５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２４６】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２４７】
本開示において、例えば、英語でのa,  an及びtheのように、翻訳によって冠詞が追加された場合、本開示は、これらの冠詞の後に続く名詞が複数形であることを含んでもよい。
【０２４８】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020065870.tif 000003
【図２】
2020065870.tif 000004
【図３】
2020065870.tif 000005
【図４】
2020065870.tif 000006
【図５】
2020065870.tif 000007
【図６】
2020065870.tif 000008
【図７】
2020065870.tif 000009
【図８】
2020065870.tif 000010
【図９】
2020065870.tif 000011
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
トランスポートブロックの発生タイミングに基づいて、複数の設定グラント（configured grant）設定の内の１つの設定グラント（configured grant）設定を決定する制御部と、
前記決定された設定グラント（configured grant）設定を用いて、物理上りリンク共有チャネル（ＰＵＳＣＨ）を送信する送信部と、を有し、
前記複数の設定グラント（configured grant）設定は、タイプ１設定グラント（configured grant）の設定及びタイプ２設定グラント（configured grant）の設定を含み、前記タイプ１設定グラント（configured grant）による前記ＰＵＳＣＨの送信は、上位レイヤで設定され、前記タイプ２設定グラント（configured config）による前記ＰＵＳＣＨの送信は、上位レイヤ及びアクティベーション用下り制御信号（ＤＣＩ）を用いて設定される、端末。
【請求項２】
前記制御部は、前記トランスポートブロックの発生タイミング及び論理チャネルの優先度に基づいて、前記１つの設定グラント（configured grant）設定を決定する、請求項１記載の端末。
【請求項３】
前記複数の設定グラント（configured grant）設定は、複数のタイプ２設定グラント（configured grant）設定を含み、前記制御部は、１つの下り制御情報（ＤＣＩ）に基づいて、前記複数のタイプ２設定グラント（configured grant）の設定をディアクティベートする、請求項１又は請求項２に記載の端末。
【請求項４】
１つの帯域幅部分（ＢＷＰ）において、前記複数の設定グラント（configured grant）設定が同時にアクティブにされる、請求項１から請求項３のいずれかに記載の端末。
【請求項５】
トランスポートブロックの発生タイミングに基づいて、複数の設定グラント（configured grant）設定の内の１つの設定グラント（configured grant）設定を決定する工程と、
前記決定された設定グラント（configured grant）設定を用いて、物理上りリンク共有チャネル（ＰＵＳＣＨ）を送信する工程と、を有し、
前記複数の設定グラント（configured grant）設定は、タイプ１設定グラント（configured grant）の設定及びタイプ２設定グラント（configured grant）の設定を含み、前記タイプ１設定グラント（configured grant）による前記ＰＵＳＣＨの送信は、上位レイヤで設定され、前記タイプ２設定グラント（configured config）による前記ＰＵＳＣＨの送信は、上位レイヤ及びアクティベーション用下り制御信号（ＤＣＩ）を用いて設定される、端末の無線通信方法。
【請求項６】
タイプ１設定グラント（configured grant）の設定及びタイプ２設定グラント（configured grant）の設定を含む複数の設定グラント（configured grant）設定に関する情報の送信を制御する制御部と、
前記複数の設定グラントの内の１つの設定グラント（configured grant）設定を用いて送信された物理上り共有チャネル（ＰＵＳＣＨ）を受信する受信部と、を有し、
前記１つの設定グラント（configured grant）設定は、前記複数の設定グラント（configured grant）設定から、端末におけるトランスポートブロックの発生タイミングに基づいて決定され、
前記タイプ１設定グラント（configured grant）による前記ＰＵＳＣＨの送信は、上位レイヤで設定され、前記タイプ２設定グラント（configured config）による前記ＰＵＳＣＨの送信は、上位レイヤ及びアクティベーション用下り制御信号（ＤＣＩ）を用いて設定される、基地局。
【請求項７】
端末と基地局とを有するシステムであって、
前記端末は、
トランスポートブロックの発生タイミングに基づいて、複数の設定グラント（configured grant）設定の内の１つの設定グラント（configured grant）設定を決定する制御部と、
前記決定された設定グラント（configured grant）設定を用いて、物理上りリンク共有チャネル（ＰＵＳＣＨ）を送信する送信部と、を有し、
前記複数の設定グラント（configured grant）設定は、タイプ１設定グラント（configured grant）の設定及びタイプ２設定グラント（configured grant）の設定を含み、前記タイプ１設定グラント（configured grant）による前記ＰＵＳＣＨの送信は、上位レイヤで設定され、前記タイプ２設定グラント（configured config）による前記ＰＵＳＣＨの送信は、上位レイヤ及びアクティベーション用下り制御信号（ＤＣＩ）を用いて設定され、
前記基地局は、
前記複数の設定グラント（configured grant）設定に関する情報の送信を制御する制御部と、
前記ＰＵＳＣＨを受信する受信部と、を有するシステム。
【手続補正３】
【補正対象書類名】明細書
【補正対象項目名】０００１
【補正方法】変更
【補正の内容】
【０００１】
本開示は、次世代移動通信システムにおける端末、無線通信方法、基地局及びシステムに関する。
【手続補正４】
【補正対象書類名】明細書
【補正対象項目名】０００７
【補正方法】変更
【補正の内容】
【０００７】
そこで、本開示は、複数の設定グラントが設定される場合であっても、適切に動作する端末、無線通信方法、基地局及びシステムを提供することを目的の１つとする。
【手続補正５】
【補正対象書類名】明細書
【補正対象項目名】０００８
【補正方法】変更
【補正の内容】
【０００８】
本開示の一態様に係る端末は、トランスポートブロックの発生タイミングに基づいて、複数の設定グラント（configured grant）設定の内の１つの設定グラント（configured grant）設定を決定する制御部と、前記決定された設定グラント（configured grant）設定を用いて、物理上りリンク共有チャネル（ＰＵＳＣＨ）を送信する送信部と、を有し、前記複数の設定グラント（configured grant）設定は、タイプ１設定グラント（configured grant）の設定及びタイプ２設定グラント（configured grant）の設定を含み、前記タイプ１設定グラント（configured grant）による前記ＰＵＳＣＨの送信は、上位レイヤで設定され、前記タイプ２設定グラント（configured config）による前記ＰＵＳＣＨの送信は、上位レイヤ及びアクティベーション用下り制御信号（ＤＣＩ）を用いて設定されることを特徴とする。
【国際調査報告】
2020065870.tif 000012
2020065870.tif 000013
2020065870.tif 000014
2020065870.tif 000015